(57)【要約】      （修正有）【課題】ゴルフバッグ、または人体に掛止することができ、かつゴルフ用具に取り付けることもでき、携帯と取り出しに便利なツールを具え、タグとしての機能以外に、その他目的に使用できるゴルフバッグタグを提供する。【解決方法】連結体２０を具え、かつ少なくとも一以上の凹溝状の収納部１１１，１１５を形成した本体１０と、該収納部に収納する少なくとも一以上のツール３０，４０と、を含み構成する。グリーンフォーク、ボールマーカーに相当するツールがゴルフバッグタグに収納されていて、かつ該ゴルフバッグタグをゴルフバッグ、もしくはゴルファーの腰のベルトに掛止することができるため、これらツールを紛失することがなく、また、簡易な操作でこれらツールを取り外して使用できるため、便利で、実用的である。【選択図】図２
0003151783.tif 000002
【実用新案登録請求の範囲】
【請求項１】
連結体を具え、かつ少なくとも一以上の凹溝状の収納部を形成した本体と、該収納部に収納する少なくとも一以上のツールと、を含むことを特徴とするゴルフバッグタグ。
【請求項２】
前記本体が第２平面を有し、該第２表面に第３収納部を形成し、かつ該第３収納部にネームプレート、ネーム表示板を設けることを特徴とする請求項１に記載のゴルフバッグタグ。
【請求項３】
前記収納部と、前記ツールとの両者がいずれも磁性体を含むか、もしくはその内のいずれか一方が磁性体を含み、かつ他方が金属材によってなり、該収納部と該ツールとが磁性によって吸引されることを特徴とする請求項１に記載のゴルフバッグタグ。
【請求項４】
前記収納部と前記ツールとに少なくとも一以上の突起部を形成し、該突起部に該磁性体を嵌着することを特徴とする請求項３に記載のゴルフバッグタグ。
【請求項５】
前記本体に止め具を回動自在に軸支し、該止め具を回転させて該ツール上を押さえるように構成したことを特徴とする請求項１に記載のゴルフバッグタグ。
【考案の詳細な説明】
【技術分野】
【０００１】
この考案はゴルフ用具に関し、ゴルフ用バッグなどに付けて名前などを表示するゴルフバッグタグに関する。
【背景技術】
【０００２】
ゴルフで、ショットした際にディボット(divot。クラブで切り取られた芝生の断片)が発生し、フェアウエーに窪みができることがある。この場合、一般には芝生の断片を拾ってきて足で踏みつけるか、砂で埋めて直す。
【０００３】
また、グリーンのボールが当たり発生したボールマークを直す道具をグリーンフォークと称する（アメリカではDivot
Repair Toolと称し、日本、ヨーロッパではGreen Forkと称する）。ゴルフではグリーンにゴルファー自身が窪みをつけた場合は、ゴルファー自身の責任で直すことを原則とするが、キャディーがサービスを提供するゴルフ場では、キャディーが協力する場合もある。
【０００４】
ゴルフを行っている場合、その他ツールを利用してグリーン上のボール位置を表示するマーカーとする場合がある。だが、従来のグリーンフォークにしても、ボールマーカーにしても、いすれも単体のツールであって、使用時に、もしくは携帯する場合にどこかに紛れてしまう恐れがある。このため、ゴルファーがグリーンフォークや、ボールマーカーを携帯することを忘れることもよくあり、ゴルファーの困窮を招く。
【０００５】
また、従来のゴルフバッグタグの機能は、ゴルファーの名前を表示するという単調な機能しかないが、ゴルフバッグに固定するものであるが故に、使用中に紛失することはない。そこで、ゴルフバッグタグに他の機能結合させれば、ゴルフバックタグの実用性を高め、ゴルフの楽しみを増すことができる。
【考案の開示】
【考案が解決しようとする課題】
【０００６】
この考案は、ゴルフバッグ、または人体に掛止することができ、携帯と取り出しに便利なツールを具え、タグとしての機能以外に、その他目的に使用できるゴルフバッグタグを提供することを課題とする。
【課題を解決するための手段】
【０００７】
そこで、本考案者は、従来のゴルフバッグタグに見られる欠点に鑑み鋭意研究を重ねた結果、ゴルフバッグ、もしくはゴルファーの腰のベルトなどに掛止する連結体を具え、かつ少なくとも一以上の凹溝状の収納部を形成した本体と、該収納部に収納する少なくとも一以上のツールと、を含むゴルフバッグタグの構造によって課題を解決できる点に着眼し、係る知見に基づいて本考案を完成させた。
【０００８】
以下この考案について具体的に説明する。
請求項１に記載するゴルフバッグタグは、連結体を具え、かつ少なくとも一以上の凹溝状の収納部を形成した本体と、該収納部に収納する少なくとも一以上のツールと、を含む。
【０００９】
請求項２に記載するゴルフバッグタグは、請求項１における本体が第２平面を有し、該第２表面に第３収納部を形成し、かつ該第３収納部にネームプレート、ネーム表示板を設ける。
【００１０】
請求項３に記載するゴルフバッグタグは、請求項１における収納部と、前記ツールとの両者がいずれも磁性体を含むか、もしくはその内のいずれか一方が磁性体を含み、かつ他方が金属材によってなり、該収納部と該ツールとが磁性によって吸引される。
【００１１】
請求項４に記載するゴルフバッグタグは、請求項３における収納部と前記ツールとに少なくとも一以上の突起部を形成し、該突起部に該磁性体を嵌着する。
【００１２】
請求項５に記載するゴルフバッグタグは、請求項１における本体に止め具を回動自在に軸支し、該止め具を回転させて該ツール上を押さえるように構成した。
【考案の効果】
【００１３】
この考案によれば、グリーンフォーク、ボールマーカーに相当するツールがゴルフバッグタグに収納されていて、かつ該ゴルフバッグタグをゴルフバッグ、もしくはゴルファーの腰のベルトに掛止することができるため、これらツールを紛失することがなく、また、簡易な操作でこれらツールを取り外して使用できるため、便利で、実用的である。
【考案を実施するための最良の形態】
【００１４】
この考案は、ゴルフバッグ、または人体に掛止することができ、かつゴルフ用具に取り付けることもでき、携帯と取り出しに便利なツールを具え、タグとしての機能以外に、その他目的に使用できるゴルフバッグタグを提供するものであって、連結体を具え、かつ少なくとも一以上の凹溝状の収納部を形成した本体と、該収納部に収納する少なくとも一以上のツールと、を含み構成する。
係る構成のゴルフバッグタグについて、その構造と特徴を説明するために、具体的な実施例を挙げ、図面を参照にして以下に詳述する。
【実施例】
【００１５】
図１から図５に開示するように、この考案によるゴルフバッグタグは本体１０と、連結体２０と、第１ツール３０と、第２ツール４０とを含んでなる。
【００１６】
本体１０は、上面を第１平面１１とし、下面を第２平面１２とする。第１表面１１には第１ツール３０の形状に対応した凹溝状の第１収納部１１１と、第２ツール４０の形容に対応した凹溝状の第２収納部１１５とを形成する。
【００１７】
第１収納部１１１は、両側辺から深さが浅い延伸溝１１２を形成する。また第１収納部１１１には環状突起部１１３を二つ形成し、該環状突起部１１３に磁性体１１４を嵌着する。
【００１８】
第２収納部１１５は一方の側に、深さが浅い延伸溝１１６を形成する。また第２収納部１１５には環状突起部１１７を形成し、該環状突起部１１７に磁性体１１８を嵌着する。
【００１９】
第２平面１２には第３収納部１２１を設ける。第３収納部１２１にはネームプレート１２２と、ネーム表示板１２４を嵌着する。即ち、ネームプレート１２２に貫通孔１２３を穿設し、ネーム表示板１２４を貫通孔１２３を嵌着する。
【００２０】
本体１０には、連結体２０を取り付ける環状の取付け部１３を設ける。
【００２１】
連結体２０は開放自在で、かつ長さを調整できるループ状のバンドであり、本体１０の取付け部１３に取り付けて本体１０と連結する。
【００２２】
第１ツール３０はフォーク状を呈し、芝生と土壌を整理することができる（グリーンフォークともいえる）。
【００２３】
第１ツールの第１収納部１１１に設ける磁性体１１４に対応する位置には溝部３１と凹状部３２とを形成する。また、金属材によってなるアクセサリー部材３３を第１ツール３０の一方の側に設ける。溝部３１は底面が閉鎖面であって凹状を呈する。
【００２４】
第１ツール３０は本体１０の第１収納部１１１内に嵌着し、溝部３１と凹状部３２に磁性体１１４が嵌着する。アクセサリー部材３１は磁性によって磁性体１１４に吸引される。このため第１ツールは第１収納部１１１から外れることがない。アクセサリー部材３３は磁性体としてもよい。
【００２５】
第２ツール４０は表面に円形の記号を有する円盤体であって（ボールマーカーと称してもよい）、ゴルフボールの位置を表示するツールである。金属在、もしくは磁性を有する材料によってなる。
【００２６】
第２ツール４０の第２収納部１１５に設けた磁性体１１８に対応する位置には凹状態部４１を形成する。
【００２７】
第２ツール４０は本体１０の第２収納部１１５内に嵌着する。凹状部４１には磁性体１１８が嵌着し、第２ツール４０は磁性体１１８の磁性による吸引によって、第２収納部１１５から外れることがない。
【００２８】
図６、７Ａ、７Ｂに開示するように、この考案における本体１０は連結体２０によってゴルフバッグ５０に設けた留め金具５１、もしくはゴルファーの腰のベルト６０に掛止する。本体１０には第１ツール３０、第２ツール４０を具えるため、これらツールの携帯に便利で。かつこれらツールの携帯を忘れることがなくなり、さらにはゴルフバッグタグの機能が単調であるという欠点を改善することができる。
【００２９】
図７Ｂに開示するように、本体１０のネームプレート１２２、ネーム表示板１２４にロゴ、ユーザーの氏名などの関連情報を表示することができる。
【００３０】
第１ツール３０、第２ツール４０を使用する場合、延伸溝１１２、延伸溝１１６から指を入れることによって、本体１０から用意に取り外すことができ、芝生を直したり、ボールの位置を表示したりするために用いることができ便利である。
【００３１】
図８に、他の実施の形態による第１工具３０ａを開示する。図面に開示するアクセサリー部材３３aは非金属材によってなり、本体１０の磁性体１１４に対応する磁性体３３１ａを設けることによって、本体１０の磁性体１１４と磁性によって互いに吸引する。
【００３２】
図９に、他の実施の形態による本体１０ａを開示する。図面に開示するように、第１収納部１１１ａは第３ツール７０（例えば、一枚刃のグリーンフォーク）の形状に対応して形成され、第３ツールを収納して磁性で吸引する。
【００３３】
図１０に、別の実施の形態による本体１０を開示する。図面によれば、第１収納部１１１、第２収納部１１５に近接した位置に、それぞれ止め具１４、１５、１６をそれぞれ回動自在に軸支する。止め具１４、１５、１６を回転させてそれぞれ第１ツール３０、第２ツール４０上を押さえることによって、第１ツール３０、第２ツール４０が第１収納部１１１、第２収納部１１５から外れることを防ぐ。止め具１４、１５、１６が第１ツール３０、第２ツール４０上を押さえていない状態において、第１ツール３０、第２ツール４０を本体１０から外すことができる。
【００３４】
以上はこの考案の好ましい実施の形態であって、この考案の実施の範囲を限定するものではない。よって、当業者のなしえる修正、もしくは変更であって、この考案の精神の下においてなされ、この考案に対して均等の効果を有するものは、いずれもこの考案の実用新案登録の範囲に含まれるものとする。
【図面の簡単な説明】
【００３５】
【図１】この考案によるゴルフバックタグを第１平面から見た斜視部である。
【図２】図１に開示したゴルフバッグタグの分解図である。
【図３】この考案における第１ツールの分解図である。
【図４】この考案によるゴルフバックタグを第２平面から見た斜視部である。
【図５】図４に開示するゴルフバッグタグの第２表面の構造を示した分解図である。
【図６】この考案によるゴルフバックタグの使用態様を示した説明図である。
【図７Ａ】この考案によるゴルフバックタグの他の使用態様を示した説明図である。
【図７Ｂ】この考案によるゴルフバックタグのその他の使用態様を示した説明図である。
【図８】他の実施の形態による第１ツールを示した分解図である。
【図９】他の実施の形態によるゴルフバックタグの斜視部である。
【図１０】その他の実施の形態によるゴルフバックタグの斜視部である。
【符号の説明】
【００３６】
１０          本体
１０ａ        本体
１１          第１平面
１１１        第１収納部
１１１ａ      第１収納部
１１２        延伸溝
１１３        環状突起部
１１４        磁性体
１１５        第２収納部
１１６        延伸溝
１１７        環状突起部
１４、１５、１６   止め具
１２          第２平面
１２２        ネームプレート
１２３        貫通孔
１２４        ネーム表示板
１２１        第３収納部
２０          連結体
３０          第１ツール
３０ａ        第１ツール
３１          溝部
３２          凹状部
３３          アクセサリー部材
３３ａ        アクセサリー部材
３３１ａ      磁性体
４０          第２ツール
４１          凹状態部
５０          ゴルフバッグ
５１          止め金具
６０          バッグ
７０          第３ツール
【図１】
0003151783.tif 000003
【図２】
0003151783.tif 000004
【図３】
0003151783.tif 000005
【図４】
0003151783.tif 000006
【図５】
0003151783.tif 000007
【図６】
0003151783.tif 000008
【図７Ａ】
0003151783.tif 000009
【図７Ｂ】
0003151783.tif 000010
【図８】
0003151783.tif 000011
【図９】
0003151783.tif 000012
【図１０】
0003151783.tif 000013
【手続補正書】
【提出日】平成21年5月11日(2009.5.11)
【手続補正１】
【補正対象書類名】実用新案登録請求の範囲
【補正対象項目名】請求項１
【補正方法】変更
【補正の内容】
【請求項１】
平板状を呈し、一方の平面に少なくとも一以上の凹溝状の収納部を形成するとともに、外周縁にループ状のバンドである連結体を取り付けるための取り付け部を形成した本体と、該取り付け部に取り付けるループ状のバンドである該連結体と、該収納部に収納する少なくとも一以上のゴルフ用のグリーンフォークか、もしくはボールマーカーとして使用できる部片としてのツールと、を含むことを特徴とするゴルフバッグタグ。
【手続補正２】
【補正対象書類名】実用新案登録請求の範囲
【補正対象項目名】請求項２
【補正方法】変更
【補正の内容】
【請求項２】
前記本体の他方の平面に、他の収納部を形成し、かつ該他の収納部にネームプレート、ネーム表示板を設けることを特徴とする請求項１に記載のゴルフバッグタグ。
【手続補正３】
【補正対象書類名】明細書
【補正対象項目名】０００４
【補正方法】変更
【補正の内容】
【０００４】
ゴルフを行っている場合、また前記したポールマークを直す作業を行う場合、その他部片としてのツール（以下ツールと称する）を利用してグリーン上のボール位置を表示するマーカーとする場合がある。だが、従来のグリーンフォークにしても、ボールマーカーにしても、いすれも単体のツールであって、使用時に、もしくは携帯する場合にどこかに紛れてしまう恐れがある。このため、ゴルファーがグリーンフォークや、ボールマーカーを携帯することを忘れることもよくあり、ゴルファーの困窮を招く。
【手続補正４】
【補正対象書類名】明細書
【補正対象項目名】０００７
【補正方法】変更
【補正の内容】
【０００７】
そこで、本考案者は、従来のゴルフバッグタグに見られる欠点に鑑み鋭意研究を重ねた結果、ゴルフバッグ、もしくはゴルファーの腰のベルトなどに掛止するループ状のバンドである連結体を具え、かつ少なくとも一以上の凹溝状の収納部を形成した本体と、該収納部に収納する少なくとも一以上のグリーンフォークか、もしくはボールマーカーとして使用できるツールと、を含むゴルフバッグタグの構造によって課題を解決できる点に着眼し、係る知見に基づいて本考案を完成させた。
【手続補正５】
【補正対象書類名】明細書
【補正対象項目名】０００８
【補正方法】変更
【補正の内容】
【０００８】
以下この考案について具体的に説明する。
請求項１に記載する  平板状を呈し、一方の平面に少なくとも一以上の凹溝状の収納部を形成するとともに、外周縁にループ状のバンドである連結体を取り付けるための取り付け部を形成した本体と、該取り付け部に取り付けるループ状のバンドである該連結体と、該収納部に収納する少なくとも一以上のゴルフ用のグリーンフォークか、もしくはボールマーカーとして使用できるツールと、を含む。
【手続補正６】
【補正対象書類名】明細書
【補正対象項目名】０００９
【補正方法】変更
【補正の内容】
【０００９】
請求項２に記載するゴルフバッグタグは、請求項１における本体の他方の平面に、他の収納部を形成し、かつ該他の３収納部にネームプレート、ネーム表示板を設ける。
【手続補正７】
【補正対象書類名】明細書
【補正対象項目名】００１５
【補正方法】変更
【補正の内容】
【００１５】
図１から図５に開示するように、この考案によるゴルフバッグタグは平板状の本体１０と、開放自在で、かつ長さを調整できるループ状のバンドである連結体２０と、グリーンフォークとして使用できる第１ツール３０と、ボールマーカーとして使用できる第２ツール４０とを含んでなる。
【手続補正８】
【補正対象書類名】明細書
【補正対象項目名】００１６
【補正方法】変更
【補正の内容】
【００１６】
本体１０は、一方の面を第１平面１１とし、他方の面を第２平面１２とする。第１表面１１には第１ツール３０の形状に対応した凹溝状の第１収納部１１１と、第２ツール４０の形容に対応した凹溝状の第２収納部１１５とを形成する。
【手続補正９】
【補正対象書類名】明細書
【補正対象項目名】００２０
【補正方法】変更
【補正の内容】
【００２０】
本体１０には、連結体２０を取り付ける環状の取付け部１３を本体１０の外周縁に形成する。
【手続補正１０】
【補正対象書類名】明細書
【補正対象項目名】００２１
【補正方法】変更
【補正の内容】
【００２１】
連結体２０は開放自在で、かつ長さを調整できるループ状のバンドであり、本体１０の外周縁に形成する取付け部１３に取り付けて本体１０と連結する。
【手続補正１１】
【補正対象書類名】図面
【補正対象項目名】図４
【補正方法】変更
【補正の内容】
【図４】
0003151783.tif 000014
【手続補正１２】
【補正対象書類名】図面
【補正対象項目名】図５
【補正方法】変更
【補正の内容】
【図５】
0003151783.tif 000015
【手続補正１３】
【補正対象書類名】図面
【補正対象項目名】図７Ｂ
【補正方法】変更
【補正の内容】
【図７Ｂ】
0003151783.tif 000016